(57)【要約】【課題】  接点表面に形成された酸化膜の除去についての工夫がなされたカメラマウントキャップおよびヘッドマウントキャップを提供する。【解決手段】  撮影光学系と撮像素子を備えたカメラヘッドが着脱自在に装着される、該カメラヘッドとの間の電気的な接続を担う接点が配備された本体側マウント部を備え該カメラヘッドから画像信号を受け取って信号処理を行なうカメラ本体の、該本体側マウント部に着脱自在に装着されて該接点および該カメラ本体内部を保護するカメラマウントキャップに、本体側マウント部に対する着脱の際に接点を摺擦する突起部を備えた。【選択図】        図４
2005283756.tif 000002
【特許請求の範囲】
【請求項１】
撮影光学系と撮像素子を備えたカメラヘッドが着脱自在に装着される、該カメラヘッドとの間の電気的な接続を担う接点が配備された本体側マウント部を備え該カメラヘッドから画像信号を受け取って信号処理を行なうカメラ本体の、該本体側マウント部に着脱自在に装着されて該接点および該カメラ本体内部を保護するカメラマウントキャップであって、
前記本体側マウント部に対する着脱の際に前記接点を摺擦する突起部を備えたことを特徴とするカメラマウントキャップ。
【請求項２】
撮影光学系と撮像素子を備えるとともに、画像信号を受け取って信号処理を行なうカメラ本体に着脱自在に装着される、該カメラ本体との間の電気的な接続を担う接点が配備されたヘッド側マウント部を備え該カメラ本体に装着されて該カメラ本体に画像信号を送信するカメラヘッドの、該ヘッド側マウント部に着脱自在に装着されて該接点および該カメラヘッド内部を保護するヘッドマウントキャップであって、
前記ヘッド側マウント部に対する着脱の際に前記接点を摺擦する突起部を備えたことを特徴とするヘッドマウントキャップ。
【請求項３】
前記カメラマウントキャップは、前記本体側マウント部に対し該カメラマウントキャップを回転しながら着脱を行う構造を有するものであることを特徴とする請求項１記載のカメラマウントキャップ。
【請求項４】
前記ヘッドマウントキャップは、前記ヘッド側マウント部に対し該ヘッドマウントキャップを回転しながら着脱を行う構造を有するものであることを特徴とする請求項２記載のヘッドマウントキャップ。
【請求項５】
前記カメラマウントキャップは、前記突起部を有する第１の部材と、該第１の部材を支持する第２の部材とを有するものであることを特徴とする請求項１記載のカメラマウントキャップ。
【請求項６】
前記ヘッドマウントキャップは、前記突起部を有する第１の部材と、該第１の部材を支持する第２の部材とを有するものであることを特徴とする請求項２記載のヘッドマウントキャップ。
【発明の詳細な説明】
【技術分野】
【０００１】
本発明は、カメラ本体にカメラヘッドが着脱自在に装着されるシステムにおける本体側マウント部とヘッド側マウント部にそれぞれ装着されるカメラマウントキャップおよびヘッドマウントキャップに関する。
【背景技術】
【０００２】
近年、撮影光学系と撮像素子を備えたカメラヘッドと、カメラヘッドが着脱自在に装着され、装着されたカメラヘッドから画像信号を受け取って信号処理を行なうカメラ本体とを備えたカメラシステムが検討されている。
【０００３】
このようなカメラシステムでは、カメラ本体にカメラヘッドが装着された際に、カメラ本体とカメラヘッドとの双方に備えられた接点が接触するようになっており、カメラ本体とカメラヘッドの間では、この接点を通じて電力供給や信号の送受信が行なわれている。
【０００４】
図１は、上述のカメラシステムを構成する、カメラ本体およびカメラヘッドの外観斜視図である。
【０００５】
図１には、カメラ本体１００とカメラヘッド１１０とが示されており、カメラ本体１００には、前面側にカメラヘッド１１０が装着される本体側マウント部１０１が備えられている。この本体側マウント部１０１は、接点１０１１および本体爪１０１２を有している。
【０００６】
カメラヘッド１１０には、カメラ本体１００と接触するヘッド側マウント部１１１が備えられており、ヘッド側マウント部１１１は、接点１１１１およびヘッド爪１１１２を有している。
【０００７】
これらの組み付けは、本体爪１０１２どうしの間の凹部１０１３に合わせてヘッド爪１１１２を、本体爪１０１２よりもカメラ本体内部側に差し込んで回転させることより、本体爪１０１２とヘッド爪１１１２とを係合させて行なわれている。これにより、カメラ本体側の接点１０１１とカメラヘッド側の接点１１１１とが接触する。尚、図１に示すカメラ本体１００の上面には、レリーズ釦１０３が示されている。
【０００８】
ところで、このようなカメラシステムでは、カメラ本体からカメラヘッドが取りはずされて双方の接点がむき出し状態のまま放置されると、これら接点の汚損や酸化膜の形成などによる電力供給障害や通信障害が引き起こされるおそれがある。
【０００９】
そこで、これら接点がむき出しのままの放置された状態とならないように、接点をキャップで覆うことが提案されており（例えば、特許文献１参照）、これをカメラにも取り入れることが考えられる。
【００１０】
図２は、カメラ本体およびカメラヘッドそれぞれのキャップの外観斜視図である。
【００１１】
図２（ａ）には、カメラ本体１００の本体側マウント部１０１に装着されるキャップであるカメラマウントキャップ１０５が示されている。
【００１２】
図２（ｂ）には、カメラヘッド１１０のヘッド側マウント部１１１に装着されるキャップであるヘッドマウントキャップ１１５が示されている。尚、これらカメラマウントキャップ１０５およびヘッドマウントキャップ１１５には、これらをカメラ本体１００およびカメラヘッド１１０それぞれに固定するためのカメラキャップ爪１０５２およびヘッドキャップ爪１１５２が備えられている。
【００１３】
これらカメラマウントキャップ１０５およびヘッドマウントキャップ１１５をカメラ本体１００およびカメラヘッド１１０に対し着脱することにより、これらカメラ本体１００およびカメラヘッド１１０それぞれに備えられた接点は、これらカメラマウントキャップ１０５およびヘッドマウントキャップ１１５の平面部分１０５１、１１５２に接触する。
【特許文献１】実開平５−６５３８９号公報
【発明の開示】
【発明が解決しようとする課題】
【００１４】
特許文献１によれば、この構成であっても接点を汚損から保護すると共に接点表面に形成される酸化膜の除去が可能であるとされているが、キャップの平面部分との接触では、酸化膜の十分な除去は困難である。
【００１５】
本発明は、上記事情に鑑み、接点表面に形成された酸化膜の除去についての工夫がなされたカメラマウントキャップおよびヘッドマウントキャップを提供することを目的とする。
【課題を解決するための手段】
【００１６】
上記目的を達成するための本発明のカメラマウントキャップは、
撮影光学系と撮像素子を備えたカメラヘッドが着脱自在に装着される、このカメラヘッドとの間の電気的な接続を担う接点が配備された本体側マウント部を備えこのカメラヘッドから画像信号を受け取って信号処理を行なうカメラ本体の、この本体側マウント部に着脱自在に装着されてこの接点およびこのカメラ本体内部を保護するカメラマウントキャップであって、
上記本体側マウント部に対する着脱の際に上記接点を摺擦する突起部を備えたことを特徴とする。
【００１７】
本発明のカメラマウントキャップには、カメラ本体の本体側マウント部に対する着脱の際に、本体側マウント部に配備された接点を摺擦する突起部が備えられている。これにより、接点表面に対する摺擦範囲を従来よりも広くすることができる。したがって、本発明のカメラマウントキャップによれば、接点表面に形成された酸化膜の除去を確実に行うことができる。
【００１８】
上記目的を達成するための本発明のヘッドマウントキャップは、
撮影光学系と撮像素子を備えるとともに、画像信号を受け取って信号処理を行なうカメラ本体に着脱自在に装着される、このカメラ本体との間の電気的な接続を担う接点が配備されたヘッド側マウント部を備え、このカメラ本体に装着されてこのカメラ本体に画像信号を送信するカメラヘッドの、このヘッド側マウント部に着脱自在に装着されてこの接点およびこのカメラヘッド内部を保護するヘッドマウントキャップであって、
上記ヘッド側マウント部に対する着脱の際に上記接点を摺擦する突起部を備えたことを特徴とする。
【００１９】
本発明のヘッドマウントキャップには、カメラヘッドのヘッド側マウント部に対する着脱の際に、ヘッド側マウント部に配備された接点を摺擦する突起部が備えられている。これにより、接点表面に対する摺擦範囲を従来よりも広くすることができる。したがって、本発明のヘッドマウントキャップによれば、接点表面に形成された酸化膜の除去を確実に行うことができる。
【００２０】
ここで、上記カメラマウントキャップは、上記本体側マウント部に対しこのカメラマウントキャップを回転しながら着脱を行う構造を有するものであってもよく、上記ヘッドマウントキャップは、上記ヘッド側マウント部に対しこのヘッドマウントキャップを回転しながら着脱を行う構造を有するものであってもよい。
【００２１】
また、上記カメラマウントキャップは、上記突起部を有する第１の部材と、この第１の部材を支持する第２の部材とを有するものであることが好ましく、上記ヘッドマウントキャップが、上記突起部を有する第１の部材と、この第１の部材を支持する第２の部材とを有するものであることも好ましい態様である。
【００２２】
例えば、突起部に、摩耗に強い金属製を採用する場合には、第２の部材にプラスチックを用いることで、全体を金属製とする場合に比べキャップの重量の増加を抑えることができる。
【発明の効果】
【００２３】
本発明のカメラマウントキャップおよび本発明のヘッドマウントキャップによれば、接点表面に形成された酸化膜の除去をより確実に行うことができる。これにより、電力供給障害および通信障害の発生を抑えることができる。
【発明を実施するための最良の形態】
【００２４】
以下、本発明の実施形態について説明する。
【００２５】
図３は、本発明のカメラマウントキャップおよび本発明のヘッドマウントキャップが使用されるカメラシステムの外観斜視図である。
【００２６】
図３には、このカメラシステム１を構成する、撮影光学系および撮像素子を備えたカメラヘッド１ａと、そのカメラヘッド１ａが着脱自在に装着されカメラヘッド１ａから画像信号を受け取って信号処理を行なうカメラ本体１ｂとが示されている。このカメラシステム１は、撮像素子と撮影光学系が一体的になったカメラヘッド１ａがカメラ本体１ｂに装着されると、そのカメラヘッド１ａの情報がカメラ本体１ｂに伝達されて、そのカメラヘッド１ａに備えられた撮影光学系で撮影を行なうことができるようになるものである。
【００２７】
カメラ本体１ｂの筐体１４ｂの前面中央には、多数の接点が取り付けられた本体側マウント部１０ｂが配備されている。
【００２８】
また、カメラヘッド１ａにも、接点が取り付けられたヘッド側マウント部１０ａ（図６参照）が備えられており、図中の一点鎖線に沿ってカメラヘッド１ａがカメラ本体１ｂに装着され所定角度回転させられることで双方の接点同士が各々接続されてカメラヘッド１ａとカメラ本体１ｂとが電気的に接続される。これら多数の接点は、それぞれが通信用、あるいは電力供給用に割り当てられている。
【００２９】
図３に示すカメラ本体１ｂには、ＡＷＢセンサ１１ｂが本体側マウント部１０ｂの上方に配備され、そのＡＷＢセンサ１１ｂにより撮影時の光源種が検出される。この光源種とは、例えば太陽光であるか蛍光灯であるかといったようなものであり、この光源種がＡＷＢセンサ１１ｂにより検出され後述するデジタル信号処理部に適正な色温度が設定されて最適なホワイトバランスの調整が行なわれる。そのＡＷＢセンサ１１ｂの横には、閃光発光窓１２ｂが配備されており、その閃光発光窓１２ｂを通して閃光を発光する閃光発光装置がカメラ本体１ｂ内に配備されている。さらにカメラ本体１ｂの筐体１４ｂ上面にはレリーズ釦１３ｂが配備されている。
【００３０】
図４は、本発明のカメラマウントキャップの第１実施形態の外観斜視図である。
【００３１】
図４には、カメラ本体１ｂに配備された本体側マウント部１０ｂに装着される、本実施形態のカメラマウントキャップ２ｂが示されており、このカメラマウントキャップ２ｂは、キャップ本体部２０ｂ、突起部２１ｂ、および爪部２２ｂで構成されている。
【００３２】
カメラ本体１ｂへのカメラマウントキャップ２ｂの装着は、カメラマウントキャップ２ｂの爪部２２ｂをカメラ本体１ｂの本体側マウント部１０ｂの凹部１０１ｂに合わせて差し込んだ後、カメラ本体１ｂに対してカメラマウントキャップ２ｂを回転させることで行なわれる。また、カメラ本体１ｂからのカメラマウントキャップ２ｂのリリースは、逆の手順で行なわれる。
【００３３】
図５は、カメラマウントキャップの爪部をカメラ本体の本体側マウント部の凹部に合わせて差し込み、回転させようとしている様子をカメラ上方側から見た場合の図である。
【００３４】
図５には、カメラ本体１ｂの筐体１４ｂおよび本体側マウント部１０ｂ、カメラマウントキャップ２ｂのキャップ本体部２０ｂが示されており、カメラ本体１ｂの筐体１４ｂおよび本体側マウント部１０ｂには、接点１００ｂが取り付けられている様子も示されている。
【００３５】
また、図５には、カメラマウントキャップ２ｂの突起部２１ｂも示されている。
【００３６】
接点１００ｂは、カメラ本体１ｂの筐体１４ｂおよび本体側マウント部１０ｂに設けられた接点収納孔１０３ｂに、バネ１０００ｂと共に収納されており、図５における上向きの一定以上の力が接点に作用すると、バネ１０００ｂは収縮して接点は上方に移動するが、その上向きの力が解除されると再び図５に示す状態に復帰するようになっている。
【００３７】
カメラマウントキャップ２ｂの爪部２２ｂをカメラ本体１ｂの本体側マウント部１０ｂの凹部１０１ｂに合わせて差し込んだ後、カメラ本体１ｂに対しカメラマウントキャップ２ｂを回転させると、突起部２１ｂに擦られる前に既にキャップ本体部２０ｂによってかけられた所定の圧力により接点表面は擦られ始める。したがって、接点１００ｂが接点収納孔１０３ｂ内で少し浮いた状態となっている様子が図５には示されている。その後、カメラマウントキャップ２ｂに備えられた突起部２１ｂが、カメラ本体１ｂの接点１００ｂと衝突する。これにより、接点１００ｂの表面に形成された酸化膜は、カメラマウントキャップ２ｂの着脱の度に従来よりも広範囲で刮ぎ落とされる。
【００３８】
図６は、本発明のヘッドマウントキャップの第１実施形態の外観斜視図である。
【００３９】
図６には、カメラヘッド１ａの、カメラ本体１ｂに装着される部分であるヘッド側マウント部１０ａに装着される、本実施形態のヘッドマウントキャップ２ａが示されており、ヘッド側マウント部１０ａ側から見たカメラヘッド１ａも示されている。
【００４０】
ヘッドマウントキャップ２ａは、キャップ本体部２０ａ、突起部２１ａ、および爪部２２ａで構成されている。
【００４１】
カメラヘッド１ａのヘッド側マウント部１０ａには、爪部１０２ａおよび接点１００ａが備えられており、前述したように、この爪部１０２ａを図４に示すカメラ本体１ｂの凹部１０１ｂに合わせて差し込んだ後、カメラヘッド１ａを回転させることでカメラヘッド１ａは、カメラ本体１ｂに装着される。尚、図６に示す接点１００ａも、図５に示すような構造でカメラヘッド１ａに備えられている。
【００４２】
カメラヘッド１ａに対するヘッドマウントキャップ２ａの着脱は、カメラ本体１ｂに対するカメラマウントキャップ２ｂの着脱と同じであるので説明は省略する。
【００４３】
図６に示すように、ヘッドマウントキャップ２ａの爪部２２ａを、カメラヘッド１ａのヘッド側マウント部１０ａの、爪部１０２ａと爪部１０２ａとの間の凹部１０１ａに合わせて差し込んだ後、カメラヘッド１ａに対しヘッドマウントキャップ２ａを回転させると、ヘッドマウントキャップ２ａに備えられた突起部２１ａが、カメラヘッド１ａの接点１００ａと衝突する。これにより、カメラヘッド１ａの接点１００ａの表面に形成された酸化膜は、ヘッドマウントキャップ２ａの着脱の度に従来よりも広範囲で刮ぎ落とされる。
【００４４】
図７は、本発明のカメラマウントキャップの第２実施形態の外観斜視図である。尚、図７に示されている部材で、図４において示されている部材と同じ機能を有する部材には、図４において付されている符号と同じ符号が付されている。
【００４５】
図７には、カメラ本体３ｂに配備された本体側マウント部３０ｂに装着される、本実施形態のカメラマウントキャップ４ｂが示されており、このカメラマウントキャップ４ｂは、キャップ本体４０ｂ、突出部４１ｂ、および突出部４１ｂの周囲に備えられた突起部４２ｂで構成されている。
【００４６】
図８は、図７に示すカメラ本体の本体側マウント部へのカメラマウントキャップの装着をカメラ本体の左側面側から見た場合の図である。
【００４７】
図８には、カメラ本体に備えられた本体側マウント部３０ｂに、カメラマウントキャップの突出部４１ｂが入り込み始めた様子が示されており、これに伴い、カメラマウントキャップ４ｂに備えられた突起部４２ｂは、本体側マウント部３０ｂに取り付けられている接点３００ｂに衝突しながら本体側マウント部３０ｂの奥側に進む。接点３００ｂは、カメラ本体３ｂの本体側マウント部３０ｂに設けられた接点収納スペース３０３ｂに収納されている、中央部が湾曲した形状に成形されたものであり、図８の右側に示された端部は、接点収納スペース３０３ｂにおいて留め具３０３１ｂによって固定されている。また、接点３００ｂは、接点収納スペース３０３ｂ内において右側の端部が留め具３０３１ｂによって固定されていることから、図８の左側から進出してくる突起部４１ｂに衝突することで一定以上の圧力を受けると、固定されている側の端部とは反対側の端部が接点収納スペース３０３ｂ内の左側に逃げるように変形するようになっている。
【００４８】
このように、カメラ本体３ｂへのカメラマウントキャップ４ｂの装着は、突起部４２ｂで、本体側マウント部３０ｂに備えられた接点３００ｂを擦りながら、カメラマウントキャップ４ｂの突出部４１ｂをカメラ本体３ｂの本体側マウント部３０ｂに差し込むことで行なわれる。したがって、本実施形態のカメラマウントキャップ４ｂによっても、接点３００ｂの表面に形成された酸化膜は、カメラマウントキャップ４ｂの着脱の度に従来よりも広範囲で刮ぎ落とされる。尚、図７に示すカメラ本体３ｂの構成により、このカメラ本体３ｂに用いられるカメラヘッドのヘッドマウントキャップについては、凸凹関係が逆になるだけであるので図示および説明は省略する。
【００４９】
図９は、本発明のカメラマウントキャップの第３実施形態を示す図である。
【００５０】
図４に示す、第１実施形態のカメラマウントキャップ２ｂおける突起部２１ｂの機能が、図９（ａ）に示す第３実施形態のカメラマウントキャップ５ｂでは、キャップ本体部５０ｂや爪部５２ｂとは異なる材料で形成された突起プレート５１ｂによって担われている。
【００５１】
図９（ｂ）に示す突起プレート５１ｂは、金属板を打ち抜いて成形された部材に対し、切目を入れて、図９（ｃ）に示すように隆起させることで突起部５１１ｂが形成され、カメラマウントキャップ５ｂに取り付けられている。この突起部５１１ｂは、金属板に入れた切目によって隆起されていることで、金属バネとしての機能を有しているため、接点との間に適度な摺動摩擦を確保することができる。このように、突起部を金属製とすることで接点との擦れによる摩耗が抑制される。このため、接点表面の摺擦範囲の広範囲化とともに、摺擦力の向上をカメラマウントキャップの重量の増加を抑えながら図ることができる。
【００５２】
図１０は、本発明のヘッドマウントキャップの第２実施形態を示す図である。
【００５３】
図１０に示す本実施形態のヘッドマウントキャップ３ａと図６に示す第１実施形態のカメラマウントキャップ２ａとの相違点は、本実施形態のヘッドマウントキャップ３ａでは、金属板に切目を入れて隆起させることで形成された突起部３１１ａを有する突起プレート３１ａが用いられている点のみであるので詳細な説明は省略する。
【００５４】
以上に説明したように、本発明のレンズマウントキャップおよび本発明のカメラマウントキャップでは、突起部が備えられているため、接点表面の摺擦範囲を従来よりも広くすることができる。したがって、本発明によれば、接点表面に形成された酸化膜の除去を確実に行うことができる。
【図面の簡単な説明】
【００５５】
【図１】上述のカメラシステムを構成する、カメラ本体およびカメラヘッドの外観斜視図である。
【図２】カメラ本体およびカメラヘッドそれぞれのキャップの外観斜視図である。
【図３】本発明のカメラマウントキャップおよび本発明のヘッドマウントキャップが使用されるカメラシステムの外観斜視図である。
【図４】本発明のカメラマウントキャップの第１実施形態の外観斜視図である。
【図５】カメラマウントキャップの爪部をカメラ本体の本体側マウント部の凹部に合わせて差し込み、回転させようとしている様子をカメラ上方側から見た場合の図である。
【図６】本発明のヘッドマウントキャップの第１実施形態の外観斜視図である。
【図７】本発明のカメラマウントキャップの第２実施形態の外観斜視図である。
【図８】図７に示すカメラ本体の本体側マウント部へのカメラマウントキャップの装着をカメラ本体の左側面側から見た場合の図である。
【図９】本発明のカメラマウントキャップの第３実施形態を示す図である。
【図１０】本発明のヘッドマウントキャップの第２実施形態を示す図である。
【符号の説明】
【００５６】
１  カメラシステム
１ａ  カメラヘッド
１ｂ  カメラ本体
２ａ、３ａ  ヘッドマウントキャップ
２ｂ、４ｂ、５ｂ  カメラマウントキャップ
２０ｂ、４０ｂ  キャップ本体部
２１ｂ、４２ｂ  突起部
２２ｂ  爪部
１０ａ  ヘッド側マウント部
１０ｂ、３０ｂ  本体側マウント部
１００ｂ、３００ｂ  接点
１０１ｂ  凹部
１０２ｂ  爪部
１０００ｂ  バネ
５１ｂ  突起プレート
５１１ｂ  突起部
【図１】
2005283756.tif 000003
【図２】
2005283756.tif 000004
【図３】
2005283756.tif 000005
【図４】
2005283756.tif 000006
【図５】
2005283756.tif 000007
【図６】
2005283756.tif 000008
【図７】
2005283756.tif 000009
【図８】
2005283756.tif 000010
【図９】
2005283756.tif 000011
【図１０】
2005283756.tif 000012